(57)【特許請求の範囲】
【請求項１】
前面枠の裏面側に遊技盤取付枠が設けられ、前記遊技盤取付枠に遊技盤が裏面側から着脱自在に取付けられ、前記遊技盤の裏面側には球タンク等の裏部品が配設された合成樹脂製の機構板が密着して装着され、かつ前記機構板に前記遊技盤を遊技盤取付枠に圧接して固定する遊技盤固定部材が複数取付けられているパチンコ遊技機において、
前記遊技盤取付枠の上辺部に、先端部を二股状に形成して左右一対の弾性片を備えさせると共に各弾性片に第１係止部と第２係止部とをそれぞれ前後に有する係止片を設け、前記各第１係止部は前記各弾性片から下方へ突出し、また、前記各第２係止部は前記各弾性片の先端部の外側にほぼ水平に突設し、前記第１係止部を前記遊技盤の裏面に当接して該遊技盤が倒れないように前記遊技盤取付枠に仮止めすると共に、前記機構板を前記遊技盤に密着させた状態で前記第２係止部を前記機構板の裏面の上縁部であって前記球タンクの横側に穿設した係合孔に係合させることにより前記球タンクに収容される球重量による前記機構板の反りを抑止するようにしたことを特徴とするパチンコ遊技機。
【発明の詳細な説明】
【０００１】
【発明の属する技術分野】
本発明はパチンコ遊技機に関し、特に前面枠の裏面に遊技盤取付枠を設け、該遊技盤取付枠に裏面側から遊技盤を着脱自在に装着し、さらに遊技盤の裏面に合成樹脂製の機構板が密着して装着されるパチンコ遊技機に関するものである。
【０００２】
【従来の技術】
従来のパチンコ遊技機にあっては、前面枠の裏面側に遊技盤取付枠を設け、該遊技盤取付枠に裏面側から遊技盤を着脱自在に装着すると共に、球タンク，パチンコ球払出装置等の裏部品が配設された合成樹脂製の機構板を遊技盤の裏面に密着させ、該機構板に設けられた遊技盤固定部材により遊技盤を機構板と一体に遊技盤取付枠に押圧固定するように構成されていた。
【０００３】
このような構成からなるパチンコ遊技機は、遊技盤の交換時或いは裏部品の修理，点検のため機構板を開放する際に遊技盤が倒れないようにするため、遊技盤取付枠に固定金具を取付け、該固定金具によって遊技盤を遊技盤取付枠に固定するようにしていた。このため、遊技盤固定部材と固定金具の両方を必要としてコストが高くなるばかりか、遊技盤の着脱作業に手間が掛かるという問題があった。
【０００４】
そこで、本出願人は、このような問題を解決するため、既に遊技盤取付枠に遊技盤が倒れないように仮止めする係止部を設け、遊技盤を遊技盤取付枠に固定するための固定金具を不要とすると共に、遊技盤の取付けを容易かつ簡略化して作業能率の向上を図るようにしたパチンコ遊技機を提案している（本出願人による特開平８−７１２３１号公報参照）。
【０００５】
【発明が解決しようとする課題】
しかし、上記したパチンコ遊技機にあっては、機構板の上部に球タンクが設けられていることから遊技盤固定部材を機構板の上部に取付けることが困難であり、このため球タンクに貯留されるパチンコ球の球重量によって機構板の上部が後方へ反ったり歪んだりして球タンクのパチンコ球をパチンコ球払出装置へ導くタンクレール等で球止りが発生し、パチンコ球の払い出し動作に支障を及ぼすという問題があった。
【０００６】
本発明は、上記した問題点に鑑みてなされたもので、その目的とするところは、遊技盤の取付けを容易にすると共に、機構板の上部の反りや歪みの発生を確実に抑止して上記欠点のないパチンコ遊技機を提供することにある。
【０００７】
【課題を解決するための手段】
上記目的を達成するために、本発明は、前面枠の裏面側に遊技盤取付枠が設けられ、該遊技盤取付枠に遊技盤が裏面側から着脱自在に取付けられ、遊技盤の裏面側には球タンク等の裏部品が配設された合成樹脂製の機構板が密着して装着され、かつ該機構板に遊技盤を遊技盤取付枠に圧接して固定する遊技盤固定部材が複数取付けられているパチンコ遊技機において、前記遊技盤取付枠の上辺部に、先端部を二股状に形成して左右一対の弾性片を備えさせると共に各弾性片に第１係止部と第２係止部とをそれぞれ前後に有する係止片を設け、前記各第１係止部は各弾性片から下方へ突出し、また、前記各第２係止部は各弾性片の先端部の外側にほぼ水平に突設し、第１係止部を遊技盤の裏面に当接して該遊技盤が倒れないように遊技盤取付枠に仮止めすると共に、機構板を遊技盤に密着させた状態で第２係止部を機構板の裏面の上縁部であって前記球タンクの横側に穿設した係合孔に係合させることにより球タンクに収容される球重量による該機構板の反りを抑止するようにしたものである。
【０００８】
上記のように構成されたパチンコ遊技機は、係止片の第１係止部によって遊技盤を遊技盤取付枠に倒れないように仮止めすることができると共に、第２係止部によって機構板の上部の反りや歪みの発生を抑止して遊技盤の裏面に密着させることが可能となり、タンクレールにおける球止り等を確実に解消することができる。
【０００９】
【発明の実施の形態】
次に、本発明の一実施の形態を図面を参照して説明する。図１は本発明の一実施の形態のパチンコ遊技機の裏面図、図２は機構板を開いた状態の裏面斜視図、図３は遊技盤を取外した状態の裏面斜視図である。図において、１はパチンコ機の前面枠、２は前面枠１の裏面側に取付けられた遊技盤取付枠、３は遊技盤、４は合成樹脂製の機構板である。なお、本実施の形態では前面枠１と遊技盤取付枠２とをそれぞれ別体に形成したものとして例示しているが、前面枠１と遊技盤取付枠２とを合成樹脂により一体成形したものであってもよい。
【００１０】
前記遊技盤取付枠２は、図３に示すように遊技盤３の下端を支持する下部枠部２ａとコ字形の上部枠部２ｂとからなり、合成樹脂により一体に形成されている。前記上部枠部２ｂの裏面側には遊技盤３の前面周縁を当接させる段部７と該段部７に遊技盤３を位置規制して取付けるための突出部８が設けられている。また下部枠部２ａおよび上部枠部２ｂの一側には機構板４の取付金具９，９がそれぞれ固着されており、機構板４に設けられた可動金具１０，１０を連結させることによって該機構板４が開閉自在に装着される。
【００１１】
また、機構板４の開放側に位置する上部枠部２ｂには遊技盤固定部材としての複数の鉤片１１が固着されており、機構板４には該鉤片１１が挿入される透孔１２がそれぞれ穿設されている。一方、機構板４の裏面側には遊技盤固定部材としてのレバー部材１３が回動自在に設けられており、機構板４を遊技盤３の裏面に密着させた状態でレバー部材１３の掛止杆１３ａを鉤片１１に掛止させてレバー部材１３を回動することにより遊技盤３と機構板４とを遊技盤取付枠２に圧接して固定するように構成されている。
【００１２】
前記機構板４の裏面上部には球タンク１４が固着されている。また、球タンク１４の下方にはパチンコ球を整列して導き出すタンクレール１５が設けられており、該タンクレール１５の下流端はカーブレール１６を介してパチンコ球払出装置１７に接続されている。パチンコ球払出装置１７の下方には払い出されたパチンコ球を前面枠１の前面の打球供給皿に導く排出通路１８と打球供給皿の余剰球を下部球受皿に導く余剰球排出通路１９が形成されている。一方、機構板４の遊技盤裏面と相対する前面側には入賞球を集合する入賞球集合空間２０が形成されており、その下方部に入賞球集合部２１が設けられている。そして、入賞球集合部２１に集められた入賞球は入賞球処理装置２２に導かれて１個ずつ排出処理されるようになっている。
【００１３】
しかして、本発明では、図４に示すように遊技盤取付枠２の上部枠部２ｂの上辺部２ｂ−１であり、そのほぼ中央位置に断面三角形状の第１係止部２３と下向爪状の第２係止部２４を前後に有する係止片２５を一体形成している。第１係止部２３は、係止片２５の下端から下方に突出して上辺部２ｂ−１の段部７と対向するように設けられており、その前端に遊技盤３の裏面に当接する垂直状の当接面２３ａを有する。また、第２係止部２４は、係止片２５の下面から下方に延びる係止段部２４ａが設けられており、かつ係止段部２４ａから係止片２５の先端に向ってテーパーを有する。
【００１４】
一方、機構板４には、その裏面の上縁部であって球タンク１４の横側に係止片２５の先端が挿入される係合孔２６が穿設されている。前記第２係止部２４の係止段部２４ａは、機構板４の裏面に密着させた状態で係合孔２６から外方へ突出して機構板４の裏面に係合するようにその形成位置が選ばれる。なお、２７，２７は補強用リブである。
【００１５】
本発明は上記のように構成されており、遊技盤３を遊技盤取付枠２に取付けるには、まず遊技盤３を若干前傾させながら上端を上辺部２ｂ−１の段部７と、係止片２５の第１係止部２３との間の隙間に臨ませる。次に、この状態で遊技盤３を遊技盤取付枠２に押しつけて該遊技盤３の前面を遊技盤取付枠２の段部７に当接させる。これによって、図５及び図７に示すように遊技盤３の上端が係止片２５の第１係止部２３の当接面２３ａで係止されて遊技盤取付枠２に対して倒れないように仮止めされる。
【００１６】
また、図６及び図７に示すように機構板４を遊技盤３の裏面に密着させることによって係止片２５の先端が機構板４の係合孔２６から外方へ突出し、第２係止部２４の係止段部２４ａが機構板４の裏面に係合する。この際に係止片２５の第２係止部２４は、係止段部２４ａから係止片２５の先端に向ってテーパーを有しているので係止片２５の先端を機構板４の係合孔２６にスムーズに挿入することができる。このため、球タンク１４に収容される球重量により機構板４に対して後方へ拡開しようとする作用力が加えられても上述のように係止片２５の第２係止部２４が機構板４の裏面に係合していることにより遊技盤３裏面との密着状態が常時確固と維持され、反りや歪みの発生が確実に抑止される。
【００１７】
図８ないし図１０は他の実施の形態を示すもので、係止片２５ａを遊技盤取付枠２と分離して別体に形成したものである。この係止片２５ａは、後端に箱状の取付部２８が形成されており、この取付部２８を介して遊技盤取付枠２にビス止め３３，３３するようにされている。その他の構成は前述した通りである。
【００１８】
このように係止片２５ａを別体に形成することによつて、遊技盤取付枠２の成形が容易となり、かつ係止片２５ａが折れたりした場合にその係止片２５ａのみを交換して付け替えればよく、遊技盤取付枠２全体を交換するような無駄を省くことができる。
【００１９】
図１１ないし図１４は係止片２５ａの他の実施の形態を示すものである。この係止片２５ｂは、先端部を切欠溝２９によって二股状に形成して左右一対の弾性片３０，３０を備えさせると共に、各弾性片３０，３０に第１係止部３１，３１と第２係止部３２，３２をそれぞれ設けるようにしたものである。第１係止部３１，３１は、各弾性片３０，３０から下方へ突設しており、第２係止部３２，３２は、機構板４の裏面に係合する係合段部３２ａ，３２ａが各弾性片３０，３０の外側に設けられたほぼ水平な外向爪状に形成されている。また、係合段部３２ａ，３２ａから先端に向かうテーパー面は幅広とし補強し、かつ指で摘み易いように形成されており、機構板４との係合を解除する場合に有効となる。
【００２０】
このように係止片２５ｂの先端を二股状に形成して左右一対の弾性片３０，３０を備えさせることにより、機構板４の係合孔２６に挿入する際に、その係合孔２６の開口縁にそれぞれの弾性片３０，３０の先端テーパー面が圧接して図１４鎖線で示すように互いに内側へ弾性変形することになりスムーズに挿入することができる。
【００２１】
【発明の効果】
以上のように本発明に係るパチンコ遊技機によれば、遊技盤取付枠に第１係止部と第２係止部とを有する係止片を設け、該係止片の第１係止部によって遊技盤を遊技盤取付枠に倒れないように仮止めすることができると共に、第２係止部によって機構板の上部の反りや歪みの発生を確実に抑止することができるものであるから、遊技盤の取付作業の作業能率を著しく向上させることができると共に、機構板に設けられたタンクレールにおける球止り等を確実に解消してパチンコ遊技機の作動確実性を著しく高めることができる。
【図面の簡単な説明】
【図１】  本発明に係るパチンコ遊技機の裏面図である。
【図２】  図１のパチンコ遊技機の機構板を開いた状態の斜視図である。
【図３】  図１のパチンコ遊技機の遊技盤取付枠から遊技盤を取外した状態の斜視図である。
【図４】  遊技盤取付枠の要部斜視図である。
【図５】  遊技盤取付枠に遊技盤を取付けた状態の要部斜視図である。
【図６】  遊技盤の裏面に機構板を密着させた状態の要部斜視図である。
【図７】  図６の要部側面断面図である。
【図８】  他の実施の形態を示す要部の分解斜視図である。
【図９】  図８の実施の形態の要部斜視図である。
【図１０】  図８の実施の形態の要部側面断面図である。
【図１１】  さらに他の実施の形態を示す要部の分解斜視図である。
【図１２】  図１１の実施の形態の要部斜視図である。
【図１３】  図１１の実施の形態の要部側面断面図である。
【図１４】  図１１の実施の形態の要部平面断面図である。
【符号の説明】
１                      前面枠
２                      遊技盤取付枠
２ｂ−１                上辺部
３                      遊技盤
４                      機構板
１１                    鉤片（遊技盤固定部材）
１３                    レバー（遊技盤固定部材）
１４                    球タンク
２３，３１              第１係止部
２４，３２              第２係止部
２５，２５ａ，２５ｂ    係止片
２６                    係合孔
３０，３０              弾性片
３３，３３              ビス止め
【図１】
0003737867.tif 000002
【図２】
0003737867.tif 000003
【図３】
0003737867.tif 000004
【図４】
0003737867.tif 000005
【図５】
0003737867.tif 000006
【図６】
0003737867.tif 000007
【図７】
0003737867.tif 000008
【図８】
0003737867.tif 000009
【図９】
0003737867.tif 000010
【図１０】
0003737867.tif 000011
【図１１】
0003737867.tif 000012
【図１２】
0003737867.tif 000013
【図１３】
0003737867.tif 000014
【図１４】
0003737867.tif 000015